(57)【要約】【課題】  ハーフリムタイプの眼鏡の吊下げレンズの取り付け・取替作業を、メーカー現場でも、小売店でも簡単に出来るようにする事。【解決手段】レンズ（２１）を部分的縁（３０）と糸材（４０）で保持するハーフリムタイプの眼鏡用の溝付レンズであって、予め決められた所定長の糸材（４０）と、レンズ脱着用の装置（５０）とを組合せた装置（６０）を前記レンズ周囲に脱着可能に係着させておき、それをデモレンズアッセンブリーとしてメーカー等に提供する。【選択図】図１
2010091959.tif 000002
【特許請求の範囲】
【請求項１】
レンズを部分的縁と糸材で保持するハーフリムタイプの眼鏡用の溝付レンズであって、予め決められた所定長の糸材と、レンズ脱着用の装置とを組合せた装置を前記レンズ周囲に脱着可能に係着させておく事を特徴とする溝付レンズアッセンブリー。
【請求項２】
前記レンズ脱着用の装置のみをレンズ周囲に脱着可能に係着させておく事を特徴とする請求項１記載の溝付レンズアッセンブリー。
【請求項３】
前記所定長の糸材のみをレンズ周囲に脱着可能に係着させておく事を特徴とする請求項１記載の溝付レンズアッセンブリー。
【請求項４】
レンズを部分的縁と糸材で保持するハーフリムタイプの眼鏡用の溝付レンズを部分的縁に固定する為の装置であり、予め決められた所定長の糸材と、レンズ脱着用の装置とが互いに脱着可能に結合されている事を特徴とする溝付レンズ用糸材アッセンブリー。
【請求項５】
前記糸材の両端部近辺にマークを付けて置く事を特徴とする請求項１、請求項３、又は請求項4の何れか１項に記載の溝付レンズアッセンブリー又は溝付レンズ用糸材アッセンブリー。
【請求項６】
前記脱着用装置が装飾部材として利用可能な事を特徴とする請求項１又は２、又は請求項４の何れか1項に記載の溝付レンズアッセンブリー、又は溝付レンズ用糸材アッセンブリー。
【発明の詳細な説明】
【技術分野】
【０００１】
本発明は、ハーフリムタイプの眼鏡用の溝付レンズアッセンブリーに関し、更に詳しくは、フレームに最初に装着する溝付デモレンズアッセンブリーに関する。又、溝付レンズに使用される糸材と脱着装置とのアッセンブリーにも関する。
【背景技術】
【０００２】
従来、ハーフリムタイプの眼鏡に於いては、リムフレームが完成したら、所定長の糸材をカットし、リムフレームの左右両端部穴等に固定し、先ず、（Ａ）ダミーのデモレンズを装着する。そして、その後、小売店等へ出荷し、店頭に並べて置く。そして、注文があれば、（Ｂ）デモレンズを矯正レンズ等に入れ替えてエンドユーザーに提供する等のステップを踏む事になる。
【０００３】
先ず、（Ａ）のダミーのデモレンズを装着する場合に於いては、糸材をかなり強いテンションで張る為に、指だけでレンズを入れるのは困難であり、特開平０８−９４９７７号の図５（ａ）、（ｂ）、（ｃ）、の様に、細長い布片で糸材をレンズ溝に入れる事が行われてきていた。しかし、この細長い布片は邪魔になる為に直ぐにそのまま外さなければならなかった。
【０００４】
次に、（Ｂ）の場合に於いては、矯正レンズ等に入れ替える際、デモレンズを外す為に、殆どの場合は、糸材とレンズとの間に無理矢理先の尖った刃物等で糸材をカットしデモレンズを外し、新しい糸材をリムフレームの左右両方の穴に通し矯正レンズを入れて装着していた。
【０００５】
【特許文献１】特開平０８−９４９７７号公報
【発明の開示】
【発明が解決しようとする課題】
【０００６】
しかしながら、上記（Ｂ）の様に、刃物等で糸材をカットする事は非常に危険で、リムフレームや指に傷が付く恐れが有った。又、糸材を左右のリムフレーム穴に嵌めるのにも熟練の作業技が必要であり、時間が掛かってしまっていた。又、（Ａ）の様に、一本一本糸材を所定長にカットしながら作業をするのは無駄が多かった。又、左右の糸材のテンションが異なってしまう場合も生じ、フロントリムフレームが捩れたりする事もあった。又、上述した取り付け用の細長い布片もそのまま取り付けておく事は見栄えが悪く取り去らなければ出荷出来なかった。
【課題を解決するための手段】
【０００７】
上記課題を解決する為に、本発明に於いては、先ず第一に、レンズを部分的縁と糸材で保持するハーフリムタイプの眼鏡用の溝付レンズであって、予め決められた所定長の糸材と、レンズ脱着用の装置との組合せ装置を前記レンズ周囲に脱着可能に係着させておく事を特徴とする溝付レンズアッセンブリーを提供する。
【０００８】
そして、前記レンズ脱着用の装置のみをレンズ周囲に脱着可能に係着させておく事も可能である。
【０００９】
又、前記所定長の糸材のみをレンズ周囲に脱着可能に係着させておいても良い。
【００１０】
更に、レンズを部分的縁と糸材で保持するハーフリムタイプの眼鏡用の溝付レンズを部分的縁に固定する為の装置であり、予め決められた所定長の糸材と、レンズ脱着用の装置とが互いに脱着可能に結合されている事を特徴とする溝付レンズ用糸材アッセンブリーの提供も図った。
【００１１】
そして、前記糸材の両端部近辺にマークを付けて置く事により長さを目測でも測りやすくした。
【００１２】
そして、又、前記脱着用装置が装飾部材として利用可能な様にも出来るようにした。
【発明の効果】
【００１３】
先ず、溝付レンズ縁の糸材を掛ける場所に、脱着用の装置と所定の太さ、長さを予め計測、計算された糸材とを係着させておく事により、一々糸材の長さを計りカットする事無く、細長い布片を嵌め外ししたりしなくても済み、製造の際の手間も大幅に省ける。次に小売店頭に於いては、高張力で張られた糸材を刃物等で切ることも無く、脱着用の装置を糸材にスライドする事によりデモレンズを外し、更に矯正用のレンズ等を入れ替えて、脱着用の装置をスライドさせる事により簡単に矯正用のレンズを嵌める事が可能となった。その結果、レンズ、リムフレーム、指等を刃物等で傷つける事無く行え、しかも、顧客を待たせる事も無くスムーズに誰でも簡単にハーフリムタイプのレンズの入れ替えが出来る事にもなった。
【発明を実施するための最良の形態】
【００１４】
レンズを部分的縁と糸材で保持するハーフリムタイプの眼鏡用の溝付レンズであって、予め決められた所定長の糸材と、レンズ脱着用の装置とを組合せた装置を前記レンズ周囲に脱着可能に係着させ、前記糸材の両端部近辺にマークを付け、そして、前記脱着用装置が装飾部材として利用可能な様にした。以下、図により、詳しく説明するが、本発明は以下の実施例、又は実施例図によって限定される物ではなく、特許請求の範囲により判断されるべきものである。
【実施例１】
【００１５】
図１は本発明の実施例の溝付レンズアッセンブリー２０の正面図であり、レンズ２１を部分的縁３０と糸材４０で保持するタイプの溝付レンズであり、予め決められた長さ・太さの糸材４０と、レンズ脱着用の装置５０とが組み合わされた装置６０を溝付レンズ周面に予め係着させて置いた形でレンズメーカー又はレンズ卸商が用意し、フレームメーカーに提供する事になる。
【００１６】
糸材４０と脱着用の装置５０は、図示はしないが直ぐに取り外せるゲル状の粘着剤、又は接着テープ、粘着テープ等で着けておいて良く、レンズ溝と糸材が互に嵌合する様に形成された物同士なら、粘着剤を使用せずに、嵌合した状態のものであって有っても良い。そして、糸材４０と脱着用の装置５０が組み合わされた装置６０を溝付レンズ２１の周面に係着させておく方法が最も好ましい。
【００１７】
そして、その使用方法としては、図２の様に、溝付レンズアッセンブリー２０を用意し、そのフレームに合うか確認をし、そして、図4の様に糸材４０をデモレンズ２１から外し、図３の様に、ハーフリムタイプの部分縁３０の端部３１、３２の止着用の孔に、個々の手段で固定する。ここで、個々の手段は、メーカーにより様々であり、その個別の詳細は割愛する。
【００１８】
次に同じく図３の様に、レンズ２１を部分的縁３０の溝に嵌める。そして、図6の様に、脱着用の装置５０をレンズ周面に載せ、レンズ周面２２に沿いスライドさせる。そうする事により、糸材４０がレンズ２１の溝にしっかり嵌る事になる。そうして、図７の様に、脱着用装置５０は、邪魔にならないように、部分的縁３０，３０、の左右両端部あたりに置いておく。
【００１９】
そして、次に、小売店頭で買い手が決まり、デモレンズ２１を矯正レンズに入れ替える際には、図５の様に、脱着用装置５０をレンズ周面の溝２６から横に矢印方向に指で押して外す。外す方向は矢印方向と反対方向でも構わない。そうするとレンズ周面溝２６から糸材４０が外れ、レンズも簡単に外せる事となる。
【００２０】
次に、矯正用レンズ２１ａを部分的縁３０に嵌め込み、前述した図3と同様に、図６の様に矯正レンズ２１ａの周面に脱着用装置５０を載せ、レンズ周面に沿いスライドさせる。そうする事によりレンズ溝に糸材４０が嵌り込む。そしてその後は、脱着用装置５０を外しても良く、又、着けたまま装飾として使用しても良い。外す場合は、外す場合は、予め外し易い構造を採るか、外し易い材質で作る事が好ましい。
【００２１】
上述した様に、予めデモレンズ２１に糸材及び／又は、脱着用の装置を係着させておくことにより、製造組立ての現場、小売店等での現場での作業効率が非常に良くなる。
【００２２】
又、レンズ周面に糸材４０のみを係着させて置いても良く、そして、又、脱着用の装置のみをレンズ周面に係着させて置いても良い。
【００２３】
又、図４の様に、予め決められた所定長の糸材と、レンズ脱着用の装置とが脱着可能に結合された装置のみでも良い。そして、糸材には、図２の様に長さの基準を示す印（マーク）Ｍを設けておいても良い、
【００２４】
次に脱着用の装置としては、図８〜１２の様に、パイプ状５２であっても良く、それにその長軸方向にスリット５３が設けられてあっても良く、材質としては、ゴム又は樹脂製が好ましい。次に図９の様に、カール状又はカーブ状にされた薄いフィルム状５４でも良い。そして、図１０、１１の様に、布製、又は紙製（好ましくは和紙）の装飾体５６であっても良い。更に図１２の様にビーズ玉５８であっても良い。勿論、材質・形状共に図示されたものに拘らないし、限定されない。
【図面の簡単な説明】
【００２５】
【図１】本発明の実施例の正面図
【図２】本発明の実施例の正面図
【図３】本発明の実施例の部分的縁への組み付け正面図
【図４】本発明の実施例の糸材と脱着装置の正面図
【図５】図１のＡ−Ａ断面拡大図
【図６】本発明の実施例の部分的縁へのレンズの取付取り外し説明用図
【図７】本発明の実施例の装置を取り付けた眼鏡の正面図
【図８】本発明の実施例の脱着装置の変化応用例の斜視図
【図９】本発明の実施例の脱着装置の変化応用例の斜視図
【図１０】本発明の実施例の脱着装置の変化応用例の斜視図
【図１１】本発明の実施例の脱着装置の変化応用例の斜視図
【図１２】本発明の実施例の脱着装置の変化応用例の斜視図
【符号の説明】
【００２６】
２０            レンズアッセンブリー
２１            レンズ
２２            レンズ周面
２６            レンズ周面溝
３０            部分縁（リムフレーム）
３１、３２      部分縁端部
３１ａ，３２ａ    止着用孔
４０            糸材（高張力糸）
５０，５２，５３          脱着用装置
６０          糸材と脱着用装置の組み合わせ装置
【図１】
2010091959.tif 000003
【図２】
2010091959.tif 000004
【図３】
2010091959.tif 000005
【図４】
2010091959.tif 000006
【図５】
2010091959.tif 000007
【図６】
2010091959.tif 000008
【図７】
2010091959.tif 000009
【図８】
2010091959.tif 000010
【図９】
2010091959.tif 000011
【図１０】
2010091959.tif 000012
【図１１】
2010091959.tif 000013
【図１２】
2010091959.tif 000014